(57)【要約】      （修正有）【課題】人が聞きやすい周波数の音声のレベルを適切に制御する。【解決手段】撮像装置の音声処理部は、入力音声信号をＡＤ変換するＡＤと、ＡＤからの音声信号を処理するＬＰＦと、ＬＰＦからの音声のピーク値と、ＡＤからの音声のピーク値を検出する手段と、ＬＰＦからの音声とＡＤからの音声信号の一方を選択する選択手段と、選択手段からの音声のゲインを制御するゲイン手段を有する。ＬＰＦからの音声のピーク値がＡＤからの音声のピーク値より小さい場合、ＬＰＦからの音声を選択すると共にＬＰＦからの音声のピーク値によりゲインを決定する。ＬＰＦからの音声のピーク値がＡＤからの音声のピーク値より小さくない場合、ＡＤからの音声を選択すると共にＡＤからの音声のピーク値によりゲインを決定する。【選択図】図２
2018060057.tif 000002
【特許請求の範囲】
【請求項１】
音声信号を入力する入力手段と、
前記入力手段からの音声信号をサンプリングし、デジタル信号に変換するＡＤ変換手段と、
前記ＡＤ変換手段から出力された音声信号におけるカットオフ周波数よりも高い周波数の成分を減衰させるフィルタと、
前記フィルタから出力された音声信号のレベルのピーク値を検出する第１の検出手段と、
前記ＡＤ変換手段から出力された音声信号のレベルのピーク値を検出する第２の検出手段と、
前記フィルタから出力された音声信号と前記ＡＤ変換手段から出力された音声信号の一方を選択する選択手段と、
前記選択手段により選択された音声信号のゲインを制御するゲイン制御手段と、
前記第１の検出手段により検出されたピーク値と前記第２の検出手段により検出されたピーク値とに基づいて前記選択手段と前記ゲイン制御手段のゲインを制御する制御手段とを有し、
前記制御手段は、前記第１の検出手段により検出されたピーク値の方が前記第２の検出手段により検出されたピークよりも小さい場合、前記フィルタからの音声信号を選択するように前記制御手段を制御するとともに、前記第１の検出手段により検出されたピーク値に基づいて前記ゲイン制御手段のゲインを決定し、前記第１の検出手段により検出されたピーク値の方が前記第２の検出手段により検出されたピーク値よりも小さくない場合、前記ＡＤ変換手段からの音声信号を選択するように前記選択手段を制御するとともに、前記第２の検出手段により検出されたピーク値に基づいて前記ゲイン制御手段のゲインを決定することを特徴とする音声処理装置。
【請求項２】
前記フィルタのカットオフ周波数は可聴帯域の上限に関連した周波数であり、前記ＡＤ変換手段のサンプリング周波数は前記カットオフ周波数の２倍よりも高い周波数であることを特徴とする請求項１に記載の音声処理装置。
【請求項３】
前記カットオフ周波数は２０ＫＨｚであり、前記サンプリング周波数は９６ＫＨｚであることを特徴とする請求項２に記載の音声処理装置。
【請求項４】
前記制御手段は、前記ＡＤ変換手段のサンプリング周波数をユーザの指示に応じて決定し、前記サンプリング周波数が所定の周波数以上でない場合には、前記ＡＤ変換手段からの音声信号を選択するように前記選択手段を制御するとともに、前記第２の検出手段により検出されたピーク値に基づいて前記ゲイン制御手段のゲインを決定することを特徴とする請求項１に記載の音声処理装置。
【請求項５】
前記制御手段は、前記フィルタによる処理を行うか否かをユーザの指示に応じて決定し、前記フィルタによる処理を行わない場合には、前記ＡＤ変換手段からの音声信号を選択するように前記選択手段を制御するとともに、前記第２の検出手段により検出されたピーク値に基づいて前記ゲイン制御手段のゲインを決定することを特徴とする請求項１に記載の音声処理装置。
【発明の詳細な説明】
【技術分野】
【０００１】
本発明は音声処理装置に関する。
【背景技術】
【０００２】
従来、音声信号をデジタル信号として記録する装置が知られている。近年では、サンプリング周波数が４８ＫＨｚから９６ＫＨｚ以上の高品質な音声信号を扱う機器も登場している。
【０００３】
また、従来、音声信号を記録する装置としてビデオカメラなどの撮像装置が知られている。これらの撮像装置においては、マイクで取得された音声信号のレベルを制御するＡＧＣ回路を持つ（特許文献１参照）。
【先行技術文献】
【特許文献】
【０００４】
【特許文献１】特開平５−１９８０８９号
【発明の概要】
【発明が解決しようとする課題】
【０００５】
音声信号のサンプリング周波数を９６ＫＨｚとした場合、人間の可聴帯域である２０ＫＨｚ以上の周波数の信号が含まれる。そのため、音声の帯域が広がってより臨場感の増した音声を記録することができる。
【０００６】
しかし、その反面、このようなサンプリング周波数が高い音声信号に対してＡＧＣの処理を行うと、可聴帯域以上の周波数で音声が歪まないように全体のレベルを制御してしまうことになる。
【０００７】
そのため、聞こえやすい周波数の音声のレベルを適切に制御できず、聞こえる音が小さくなって違和感の大きな音になってしまう。
【０００８】
本発明は、高い周波数の音声を含む音声信号において、人が聞きやすい周波数の音声のレベルを適切に制御することができる装置を提供することを目的とする。
【課題を解決するための手段】
【０００９】
音声処理装置は、音声信号を入力する入力手段と、前記入力手段からの音声信号をサンプリングし、デジタル信号に変換するＡＤ変換手段と、前記ＡＤ変換手段から出力された音声信号におけるカットオフ周波数よりも高い周波数の成分を減衰させるフィルタと、前記フィルタから出力された音声信号のレベルのピーク値を検出する第１の検出手段と、前記ＡＤ変換手段から出力された音声信号のレベルのピーク値を検出する第２の検出手段と、前記フィルタから出力された音声信号と前記ＡＤ変換手段から出力された音声信号の一方を選択する選択手段と、前記選択手段により選択された音声信号のゲインを制御するゲイン制御手段と、前記第１の検出手段により検出されたピーク値と前記第２の検出手段により検出されたピーク値とに基づいて前記選択手段と前記ゲイン制御手段のゲインを制御する制御手段とを有し、前記制御手段は、前記第１の検出手段により検出されたピーク値の方が前記第２の検出手段により検出されたピークよりも小さい場合、前記フィルタからの音声信号を選択するように前記制御手段を制御するとともに、前記第１の検出手段により検出されたピーク値に基づいて前記ゲイン制御手段のゲインを決定し、前記第１の検出手段により検出されたピーク値の方が前記第２の検出手段により検出されたピーク値よりも小さくない場合、前記ＡＤ変換手段からの音声信号を選択するように前記選択手段を制御するとともに、前記第２の検出手段により検出されたピーク値に基づいて前記ゲイン制御手段のゲインを決定する。
【発明の効果】
【００１０】
人が聞きやすい周波数の音声のレベルを適切に制御することができる。
【図面の簡単な説明】
【００１１】
【図１】撮像装置の構成を示すブロック図である。
【図２】音声処理部の構成を示すブロック図である。
【図３】音声信号の処理を示すフローチャートである。
【図４】音声信号の処理を示すフローチャートである。
【図５】音声の周波数特性を示す図である。
【図６】サンプリング周波数とＬＰＦのカットオフ周波数の選択画面を示す図である。
【図７】ＬＰＦと音声信号の周波数特性を示す図である。
【発明を実施するための形態】
【００１２】
以下、図面を参照して本発明の実施例を詳細に説明するが、この発明は以下の実施の形態に限定されない。
【００１３】
＜第１の実施形態＞
本発明の第１の実施形態を説明する。図１は、第１の実施形態における音声処理装置を含む撮像装置１００の構成を示すブロック図である。図１において、撮像部１０１は撮影レンズにより取り込まれた被写体の光学像をＣＣＤセンサやＣＭＯＳセンサ等の撮像素子により画像信号に変換し、アナログデジタル変換をして、画像処理部１０２に送信する。画像処理部１０２は、入力されたデジタル画像信号に、設定値に基づいてホワイトバランスや色、明るさなどを調整し映像反転など画質調整処理を行いメモリ１０５や後述の表示制御部１０９、制御部１１１に送信する。
【００１４】
音声入力部１０３は、内蔵されたマイクまたは音声入力端子を介して接続された外部マイク等により、撮像装置１００の周辺の音声を集音し、音声処理部１０４に送信する。音声処理部１０４は、入力された音声信号をデジタル信号に変換しチャネル割り付けやレベルの適正化処理、特定周波数の低減処理等の音声に関する処理を行いメモリ１０５に送信する。
【００１５】
メモリ１０５は、画像処理部１０２、音声処理部１０４により得られた画像信号及び音声信号を一時的に記憶する。符号化処理部１０６は、メモリ１０５に一時的に記憶された画像信号や音声信号を読み出して画像信号の符号化、音声信号の符号化などを行い、圧縮画像データ、圧縮音声データ等を生成し、記録再生部１０７に送信する。
【００１６】
記録再生部１０７は、符号化処理部１０６で生成された圧縮画像データ、圧縮音声データ、その他撮影に関する制御データ等を記録媒体１０８記録媒体に転送し記録制御を行う。また、記録再生部１０７は、記録媒体１０８に記録された圧縮画像データ、圧縮音声データ、各種データ、プログラムを読み出す。記録媒体１０８は、記録再生部１０７からのデータを記録保存する記録媒体である。記録媒体１０８は、圧縮画像データ、圧縮音声データ、等を記録することができれば、磁気ディスク、光学式ディスク、半導体メモリなどのあらゆる方式の記録媒体であってよく、また複数の記録媒体であってもよい。
【００１７】
表示制御部１０９は、符号化処理部１０６から送信された画像信号や画像処理部１０２から送信された画像信号にかかる映像や、音声信号処理装置１００の操作をするための操作画面（メニュー画面）等を表示部１１０に表示させる。表示部１１０は、表示制御部からのデータを表示する表示部である。例えば、液晶ディスプレイ、有機ＥＬディスプレイ、電子ペーパー等の表示デバイスなどである。
【００１８】
操作部１１２は、ボタンやダイヤルなどからなり、ユーザの操作に応じて、指示信号を制御部１１１に送信する。操作部１１２は、例えば、電源ボタン、記録開始ボタン、メニュー表示ボタン、決定ボタン、カーソルキー、表示部１１０の任意の点を指定するためのポインティングデバイス、タッチパネル等からなる。制御部１１１は、操作部１１２から送信された指示信号に基づいて、撮像装置１００の各ブロックに制御信号を送信することで、各ブロックを制御する。制御部１１１は、各種処理（プログラム）を実行するための例えば、ＣＰＵ（ＭＰＵ）、メモリ（ＤＲＡＭ、ＳＲＡＭ）などからなる。バス１１３は、各種データ、制御信号などを音声信号処理装置１００の各ブロックに送る。
【００１９】
ここで、撮像装置１００の通常の動作について説明する。ユーザが操作部１１２の電源ボタンを操作すると、操作部１１２から制御部１１１に起動の指示が出される。この指示を受けて、制御部１１１は、不図示の電源供給部を制御して、音声信号処理装置１００の各ブロックに対して電源を供給させる。
【００２０】
電源が供給されると、制御部１１１は、例えば、操作部１１２のモード切り換えスイッチが、例えば、撮影モード、再生モード等のどのモードであるかを操作部１１２からの指示信号により確認する。撮影モードでは、撮像装置１００は撮影待機状態でユーザが操作部１１２の記録開始ボタンを操作することで、撮影を開始し、その間、圧縮画像データと圧縮音声データが、記録媒体１０８に記録される。そしてユーザが操作部１１２の撮影終了ボタンを操作することで、撮影を終了し、再び撮影待機状態になる。再生モードでは、ユーザが選択したファイルに関する圧縮画像データと圧縮音声データを記録媒体１０８から再生して表示部１１０に映像を表示させる。
【００２１】
まず、撮影モードについて説明する。撮影モードが設定されると前述のようにまず、撮影待機状態に設定される。撮影待機状態で、ユーザが操作部１１２の記録開始ボタンを操作することにより撮影開始の指示信号が送信されると、制御部１１１は、撮影開始の制御信号を撮像装置１００の各ブロックに送信し、以下のような動作をさせるように制御する。
【００２２】
撮像部１０１は、撮影レンズにより取り込まれた被写体の光学像を撮像素子により画像信号に変換し、アナログデジタル変換し、画像処理部１０２に送信する。画像処理部１０２は、入力されたデジタル画像信号の画質調整処理（ホワイトバランスや色、明るさなど）を設定値に基づいて処理し、表示制御部１０９に送信する。表示制御部１０９は、受信した画像信号に関する映像を表示部１１０に表示させる。また、画像信号はメモリ１０５にも出力され、メモリ１０５に一時的に記憶される。
【００２３】
音声入力部１０３は、内蔵されたマイクまたは音声入力端子を介して接続された音声装置から得られた音声信号音声処理部１０４に送信する。音声処理部１０４は、入力された音声信号を必要に応じて選択し、アナログデジタル変換を行い、レベルの適正化処理、特定周波数の低減処理等をして音声信号を生成して、メモリ１０５に一時的に記憶される。
【００２４】
そして、符号化処理部１０６は、メモリ１０５に一時的に記憶された画像信号や音声信号を読み出して所定の符号化を行い、圧縮画像データ、圧縮音声データ等を生成する。そして、制御部１１１は、これらの圧縮画像データ、圧縮音声データを合成し、データストリームを形成し、記録再生部１０７に出力する。記録再生部１０７は、ＵＤＦ、ＦＡＴ等のファイルシステム管理のもとに、データストリームを一つの動画ファイルとして記録媒体１０８に書き込んでいく。以上の動作を撮影中は継続する。
【００２５】
そして、ユーザが操作部１１２の記録ボタンを操作することにより撮影終了の指示信号が制御部１１１に送信されると、制御部１１１は、撮影終了の制御信号を音声信号処理装置１００の各ブロックに送信し、以下のような動作をさせるように制御する。
【００２６】
画像処理部１０２、音声処理部１０４は、それぞれ画像信号、音声信号をメモリ１０５に送信するのを停止する。そして、符号化処理部１０６は、メモリ１０５に記憶されている残りの画像信号と音声信号とを読出して所定の符号化を行い、圧縮画像データ、圧縮音声データ等を生成し、それが終わると動作を停止する。
【００２７】
制御部１１１は、これらの最後の圧縮画像データ、圧縮音声データを合成し、データストリームを形成し、記録再生部１０７に出力する。
【００２８】
記録再生部１０７は、ＵＤＦ、ＦＡＴ等のファイルシステム管理のもとに、データストリームを一つの動画ファイルとして記録媒体１０８に書き込んでいく。そして、データストリームの供給が停止したら、動画ファイルを完成させて、記録動作を停止させる。
【００２９】
制御部１１１は、記録動作が停止すると、撮影待機状態に移行させるように制御信号を撮像装置１００の各ブロックに送信して、撮影待機状態に戻る。
【００３０】
また、撮影待機状態では、制御部１１１は、撮像装置１００の各ブロックを以下のような動作をさせるように制御する。画像処理部１０２は、画像信号を表示制御部１０９に送信し表示部１１０に画像信号に関する映像を表示させる。ユーザはこの様にして表示された画面を見ながら撮影の準備を行う。
【００３１】
次に、再生モードでは、制御部１１１は、再生状態に移行させるように制御信号を音声信号処理装置１００の各ブロックに送信し、以下のような動作をさせる。記録媒体１０８に記録された圧縮画像データと圧縮音声データとからなる動画ファイルを記録再生部１０７が読出して、読出された圧縮画像データ、圧縮音声データは、符号化処理部１０６に送る。符号化処理部１０６は、圧縮画像データ、圧縮音声データを一時的にメモリ１０５に記憶させ、所定の手順で復号し、復号化した画像信号を表示制御部１０９に送信する。表示制御部１０９は、入力された画像信号にかかる映像を表示部１１０に表示させる。
【００３２】
次に、本実施形態の音声処理部１０４の特徴的な動作について説明する。図２は、音声処理部１０４を示すブロック図である。図２において、アンプ２０１は、音声入力部１０４からのアナログ音声信号を増幅する。ＡＤ変換器２０２は、アンプ２０１からのアナログ音声信号を、制御部１１１より指示された所定のサンプリング周波数に従ってデジタル音声信号に変換する。ＡＤ変換器２０２は、１サンプルｎビット、例えば８ビットのデジタル音声信号に変換する。また、ＡＤ変換器２０２は、ここでは９６ＫＨｚのサンプリング周波数でアンプ２０１からのアナログ音声信号をサンプリングし、デジタル信号に変換する。
【００３３】
ローパスフィルタ（ＬＰＦ）２０３は制御部１１１からの指示により、ＡＤ２０２からの信号のうち、所定のカットオフ周波数よりも高い周波数の成分を減衰させる処理を行う。本実施形態では、ＬＰＦのカットオフ周波数を、人の可聴帯域の上限に関連した、２０ＫＨｚとする。そして、ＬＰＦ２０３は、例えば、２０ＫＨｚで−３ｄＢ、４０ＫＨｚで−９ｄＢの減衰量となるように、その周波数特性が設定される。また、ＡＤ変換器２０２のサンプリング周波数は、ＬＰＦ２０３のカットオフ周波数の２倍よりも高い周波数に設定される。
【００３４】
選択部２０４は、ＡＤ２０２からの信号とＬＰＦ２０３からの信号の一方かを選択して自動ゲイン制御部（ＡＧＣ）２０５に送る。ＡＧＣ２０５は、制御部１１１からの指示に従って選択部２０４から出力されたデジタル音声信号に対してゲイン上げ下げの制御を行う。
【００３５】
ピーク検出部２０６は、ＬＰＦ２０３からの音声信号のレベルのピーク値を検出し、ピーク値１として出力する。ピーク検出部２０７は、ＡＤ２０２からの音声信号のレベルのピーク値を検出し、ピーク値２として出力する。このように、ピーク検出部２０６は、ＬＰＦ２０３からの、カットオフ周波数よりも高い周波数成分が減衰されている音声信号のピーク値を検出する。また、ピーク検出部２０７は、ＬＰＦ２０３によって減衰されていない高周波数の成分を含む、ＡＤ２０２からの音声信号のピーク値を検出する。
【００３６】
比較部２０８は、ピーク検出部２０６からのピーク値１とピーク検出部２０７からのピーク値２を比較し、比較の結果を制御部１１１に出力する。また、比較部２０８は、ピーク検出部２０６からのピーク値１とピーク検出部２０７からのピーク値２のうち、小さい方のピーク値の情報を制御部１１１に出力する。
【００３７】
制御部１１１は、比較部２０８からの比較結果とピーク値とに基づいて、選択部２０４が選択する音声信号と、ＡＧＣ２０５によるゲインを制御する。制御部１１１は、比較部２０８からのピーク値が所定の上限レベルを超えず、且つ、この上限レベルから所定レベルの範囲内になるように、ＡＧＣ２０５のゲインを決める。
【００３８】
図３は、第１の実施形態における音声処理部１０４の動作を示すフローチャートである。なお、図３の処理は、制御部１１１が音声処理部１０４の各部を制御することにより実現される。また、図３の処理は、撮像装置１００が動画と音声の記録を行っている状態において繰り返し実行される。
【００３９】
まず、制御部１１１がＬＰＦ２０３のカットオフ周波数を設定する（Ｓ３０１）。次に、ピーク検出部２０６と２０７がそれぞれピーク値１とピーク値２を検出し、比較部２０８がこれらの比較結果と小さい方のピーク値の情報を制御部１１１に送る（Ｓ３０２）。制御部１１１は、ピーク値１がピーク値２よりも小さいか否かを判別する（Ｓ３０３）。即ち、ＬＰＦ２０３から出力された、カットオフ周波数以上の周波数帯域が減衰された音声信号のピーク値が、ＡＤ２０２からの出力信号のピーク値よりも小さいか否かを判別する。
【００４０】
ピーク値１がピーク値２よりも小さい場合、制御部１１１は、ＬＰＦ２０３の出力信号を選択するように選択部２０４を制御する（Ｓ３０４）。更に、制御部１１１は、ピーク値１とピーク値２のうちの小さい方である、ピーク値１に基づいてＡＧＣ２０５のゲインを設定する（Ｓ３０５）。
【００４１】
また、Ｓ３０３において、ピーク値１がピーク値２よりも小さくない場合、制御部１１１は、ＡＤ２０２の出力信号を選択するように選択部２０４を制御する（Ｓ３０６）。更に、制御部１１１は、ピーク値１とピーク値２のうちの小さい方である、ピーク値２に基づいてＡＧＣ２０５のゲインを設定する（Ｓ３０７）。
【００４２】
本実施形態では、ＡＤ２０２のサンプリング周波数が９６ＫＨｚであるため、ＡＤ２０２からの音声信号には、可聴帯域よりも高い周波数成分が含まれている。そのため、可聴帯域よりも高い周波数にピーク値がある場合、可聴帯域よりも高い周波数のピーク値に合わせてＡＧＣ２０５のゲインが設定されることになり、可聴帯域のゲインが適切に調整されないことがある。
【００４３】
そこで、ＬＰＦ２０３で可聴帯域よりも高い周波数成分を減衰させることで、可聴帯域にピーク値が含まれるようにする。そのため、可聴帯域を超える周波数に、可聴帯域よりも大きなレベルの信号が含まれていても、選択部１０４によりＬＰＦ２０３の出力信号が選択されることになる。また、この場合は、ＬＰＦ２０３の出力信号のピーク値によりゲインを決めるので、可聴帯域のレベルが適切になるようにＡＧＣ２０５のゲインが決められる。
【００４４】
しかし、元々の音声信号において、可聴帯域よりも高い周波数成分のレベルが大きい場合、ＬＰＦ２０３の出力においても、可聴帯域よりも高い周波数成分がピーク値となってしまうことがある。
【００４５】
この状態を図７に示す。図７（ａ）において、ＬＰＦ２０３の周波数特性が７０１で、入力された音声信号が７０２である。入力音声７０２のうち、２０ＫＨｚ以上の周波数成分は減衰されるが、元々のレベルが大きいため、図７（ｂ）の７０３に示すように、２０ＫＨｚ以上の周波数にピーク値が存在する。
【００４６】
そのため、ＬＰＦ２０３の出力信号を選択しても、ピーク値が２０ＫＨｚ以下にあるとは限らず、ＡＧＣ２０５のゲインが２０ＫＨｚ以下のレベルにより決まるとは限らない。その場合には、２０ＫＨｚ以上の帯域でのピーク値に基づいてＡＧＣ２０５のゲインが決定されることになる。しかし、ＬＰＦ２０３の処理により２０ＫＨｚ以上は減衰しているはずなので、ＬＰＦ２０３の処理を行わない場合よりも可聴帯域のゲインが大きくなる可能性が高い。
【００４７】
このように、ＬＰＦ２０３により可聴帯域を超える周波数を減衰させるように処理した結果、２０ＫＨｚ以下がピークとなる可能性が高い。また、仮に２０ＫＨｚ以上の帯域にピーク値があっても、ＬＰＦ処理しない信号のピーク値によりＡＧＣ２０５のゲインを決める場合よりも、可聴帯域で適切なレベルになるようにゲインが決定されやすい。即ち、可聴帯域でのレベルが小さく抑えられることがなりにくくなる。
【００４８】
一方、ピーク値１がピーク値２よりも小さく無い場合、元々の音声信号において可聴帯域にピーク値があるため、ＡＤ２０２の出力信号を選択する。これにより、可聴帯域を超える周波数成分を含む音声信号を記録することができる。また、ピーク値２によりＡＧＣ２０５のゲインを決めるので、可聴帯域のレベルを適切なレベルに調整することができる。
【００４９】
例えば、図５（ａ）に示すように、ＡＤ２０２からの音声信号において、可聴帯域を超える周波数にピーク値が含まれている場合、ピーク値が上限５０１を超えないように、ＡＧＣ２０５のゲインがこのピーク値に基づいて決められる。そのため、ＡＧＣ２０５によるゲイン調整後、可聴帯域におけるレベルが低く抑えられてしまう。
【００５０】
一方、図５（ｂ）に示すように、ＬＰＦ２０３の処理により可聴帯域を超える帯域を減衰させることで、可聴帯域を超える帯域にピークがある場合にも、可聴帯域のレベルがより大きくなるようにＡＧＣ２０５のゲインが決定される。
【００５１】
このように、本実施形態によれば、聞こえやすい周波数の帯域をＡＧＣで絞ってしまい、結果聞こえる音が小さくなって違和感の大きな音に鳴らないように制御し、違和感の少ない音声を得ることができる。
【００５２】
なお、本実施形態では、ピーク検出部２０６と２０７により検出したピーク値を比較部２０８に出力したが、制御部１１１に直接出力するようにしてもよい。そして、制御部１１１が、ピーク検出部２０６と２０７からのピーク値１とピーク値２に基づいて、図３の処理を行う構成としてもよい。
【００５３】
＜第２の実施形態＞
次に、第２の実施形態を説明する。第２の実施形態においても、撮像装置１００及び音声処理部１０４の構成は第１の実施形態と同様である。
【００５４】
第２の実施形態においては、ＡＤ２０２におけるサンプリング周波数と、ＬＰＦ２０３のカットオフ周波数をユーザが設定できるようにする。例えば、制御部１１１が表示制御部１０９を制御して、表示部１１０に図６に示す選択画面を表示する。図６（ａ）がサンプリング周波数の選択画面で、図６（ｂ）がＬＰＦ２０３のカットオフ周波数の選択画面である。
【００５５】
ユーザは操作部１１２を操作して、図６（ａ）に表示されたサンプリング周波数のうち、所望の周波数を選択する。また、ユーザは操作部１１２を操作して、図６（ｂ）に表示されたカットオフ周波数から、所望の周波数、或いはＬＰＦ処理を行わないことを選択する。
【００５６】
このとき、例えば、記録したい音の種類とそのときに推奨するカットオフ周波数を表示部１１０に表示してユーザに提示してもよい。カットオフ周波数を低くした場合は、音声の高周波成分が失われる。そのため、もともと高域の成分を持たない種類の音声を記録するのであれば、低いカットオフ周波数を設定することで可聴域のレベルをより安定させることができる。一方、サンプリング周波数を高く設定した場合など、高域の音声まで記録したい場合にはカットオフ周波数を高くするか、或いは、ＬＰＦの処理を行わないようにすればよい。
【００５７】
図４は、第２の実施形態における音声処理部１０４の動作を示すフローチャートである。なお、図４の処理は、制御部１１１が音声処理部１０４の各部を制御することにより実現される。また、図４の処理は、撮像装置１００が動画と音声の記録を行っている状態において繰り返し実行される。
【００５８】
まず、制御部１１１がＡＤ２０２のサンプリング周波数の情報を取得する（Ｓ４０１）。次に、制御部１１１は、設定されたサンプリング周波数が所定の周波数以上であるか（ここでは４８ＫＨｚ）否かを判別する。４８ＫＨｚ以上である場合、聴感上聞こえ難い帯域が有ると判断し、以下の処理を行う。
【００５９】
次に、制御部１１１がＬＰＦ２０３のカットオフ周波数の情報を取得する（Ｓ４０３）。制御部１１１は、ＬＰＦの設定がオンになっているか否かを判別し（Ｓ４０４）、ＬＰＦの設定がオフになっていない場合には、ＬＰＦ２０３のカットオフ周波数を設定する（Ｓ４０５）。
【００６０】
次に、ピーク検出部２０６と２０７がそれぞれピーク値１とピーク値２を検出し、比較部２０８がこれらの比較結果と小さい方のピーク値の情報を制御部１１１に送る（Ｓ４０６）。制御部１１１は、ピーク値１がピーク値２よりも小さいか否かを判別する（Ｓ４０７）。即ち、ＬＰＦ２０３から出力された、カットオフ周波数以上の周波数帯域が減衰された音声信号のピーク値が、ＡＤ２０２からの出力信号のピーク値よりも小さいか否かを判別する。
【００６１】
ピーク値１がピーク値２よりも小さい場合、制御部１１１は、ＬＰＦ２０３の出力信号を選択するように選択部２０４を制御する（Ｓ４０８）。更に、制御部１１１は、ピーク値１とピーク値２のうちの小さい方である、ピーク値１に基づいてＡＧＣ２０５のゲインを設定する（Ｓ４０９）。
【００６２】
また、Ｓ４０７において、ピーク値１がピーク値２よりも小さくない場合、制御部１１１は、ＡＤ２０２の出力信号を選択するように選択部２０４を制御する（Ｓ４１０）。更に、制御部１１１は、ピーク値１とピーク値２のうちの小さい方である、ピーク値２に基づいてＡＧＣ２０５のゲインを設定する（Ｓ４１１）。
【００６３】
また、Ｓ４０２においてサンプリング周波数が４０ＫＨｚ以上でない場合、或いは、Ｓ４０４でＬＰＦの処理がオンとなっていない場合には、Ｓ４１０に進む。制御部１１１は、ＡＤ２０２の出力信号を選択するように選択部２０４を制御する（Ｓ４１０）。更に、制御部１１１は、ピーク値１とピーク値２のうちの小さい方である、ピーク値２に基づいてＡＧＣ２０５のゲインを設定する（Ｓ４１１）。
【００６４】
このように、本実施形態では、機器の設定に応じて聞こえやすい周波数の帯域をＡＧＣで絞ってしまい、結果聞こえる音が小さくなって違和感の大きな音にならないように監視し、違和感の少ない音声を記録することができる。
【図１】
2018060057.tif 000003
【図２】
2018060057.tif 000004
【図３】
2018060057.tif 000005
【図４】
2018060057.tif 000006
【図５】
2018060057.tif 000007
【図６】
2018060057.tif 000008
【図７】
2018060057.tif 000009